(57)【要約】      （修正有）【課題】蓋体の筐体への組み付け誤差、傾斜カムの洗浄槽への組み付け誤差、カムローラの蓋体への組み付け誤差、洗浄槽の筐体への組み付け誤差などの種々の組み付け誤差に関わらず、蓋体に対する締め付け力が過小または過大になることを防止した引き出し式食器洗い機を提供する。【解決手段】平行リンク１６の中間部に縦方向長穴３５があり、当該縦方向長穴３５にカムローラー２５の軸３０が上下動自在に支持されており、上記カムローラー２５の軸３０と蓋体１４とをカム用引っ張りバネ４０で連結して、カムローラー２５を上方に付勢してあり、傾斜カム２０によるカムローラー２５に対する押さえ力で、カムローラー２５が押し下げられ、上記カム用引っ張りバネ４０を介して蓋体１４が引き下げられるように構成されており、上記カム用引っ張りバネ４０が、蓋体１４を所要の強さで引き下げるバネ力（又はバネ荷重）を有するものである。【選択図】図１
2008295620.tif 000002
【特許請求の範囲】
【請求項１】
前後左右の平行リンクで蓋体を筐体に昇降自在に支持しており、洗浄槽の傾斜カムと蓋体のカムローラーにより開蓋バネに抗して上記蓋体を引き下げて閉蓋する引き出し式食器洗い機において、
上記平行リンクの中間部に縦方向長穴があり、
上記縦方向長穴にカムローラーの軸が上下動自在に支持され、また、上記カムローラーの軸と蓋体とをカム用引っ張りバネで連結して、カムローラーを上方に付勢してあり、
上記傾斜カムによるカムローラーに対する押さえ力でカムローラーが押し下げられ、上記カム用引っ張りバネを介して蓋体が引き下げられるように構成されており、
上記カム用引っ張りバネが、蓋体を所要の強さで引き下げるバネ力を有するものであることを特徴とする引き出し式食器洗い機。
【請求項２】
上記カム用引っ張りバネが密着コイルバネであり、初期張力がかけられていることを特徴とする引き出し式食器洗い機。
【請求項３】
上記平行リンクがＬ形リンクである請求項１の引き出し式食器洗い機。
【発明の詳細な説明】
【技術分野】
【０００１】
この発明は、引き出し式食器洗い機、殊にその蓋の開閉操作機構に関するものであり、蓋体の下面にパッキンがあり、洗浄槽の出し入れ操作によって蓋体が昇降して洗浄槽が開閉される食器洗い機について、蓋体の洗浄槽に対する組み付け位置の誤差等によって蓋体に対する締め付け力が不足することを防止するとともに、過大になることを防止して、蓋体のシール不良、上記パッキンの損傷を防止することができるものである。
【背景技術】
【０００２】
食器洗い機本体の左右のレールで洗浄槽が出し入れ自在に支持されており、蓋体が昇降自在に筐体の側壁に支持されており、洗浄槽の出し入れ操作によって駆動され、蓋体下面のパッキンが洗浄槽の上縁に圧接されて、蓋体と洗浄槽との合わせ面がシールされるようになっているものがある。
そして、上記蓋体の前後左右の４つの平行リンクで蓋体を支持し、また、当該蓋体を戻しバネ（以下「開蓋バネ」という）で前方に付勢しており、洗浄槽の押し込み操作により傾斜カムでカムローラーを押し下げ、上記開蓋バネに抗して蓋体を引き下げて閉蓋させるものがある（例えば、特許第３４１７３５３号公報、特許第３７８９７７５号公報、特許第３５３７７５９号公報）。
【０００３】
そしてまた、平行リンクで支持されている蓋体を昇降させる上記平行リンクがＬ形であり、その中間部にカムローラーを設け、当該カムローラーを上記傾斜カムで押し下げて、開蓋バネ（蓋体を開蓋方向に付勢しているもの）に抗して蓋体を引き下げるようにしたものがある（上記特許第３５３７７５９号公報。以下これを「従来技術」という）。これは図８、図９に図示されているものであり、食器洗い機本体又は筐体（以下これを「筐体」という）１０の内側面のレール１１によって洗浄槽１２が前後方向（図において左右方向）に出し入れ自在に支持されている。そして、洗浄槽１２が筐体１０に押し込まれて収納されたとき、その前扉１３で筐体１０の前端開口部が閉じられる。
【０００４】
そして、洗浄槽１２の上方に蓋体１４があり、この蓋体１４は前方左右の平行リンク１５、後方左右の平行リンク１６で筐体１０の側壁１７に連結されており、開蓋バネ１８で前方に引っ張られている。
洗浄槽１２の側壁の前後左右に傾斜カム２０があり、当該傾斜カムに対するカムローラー２５が平行リンク１５，１６の中間部に設けられている。平行リンク１６は下端を連結ピン１６ａで筐体１０の側壁１７に連結されており、上端を連結ピン１６ｂで蓋体１４の側端に連結されている。
なお、平行リンク１５は平行リンク１６と同様であるので、以下においては、平行リンク１６について説明する。
【０００５】
洗浄槽１２が押し込まれると、押し込み動作の終り近くで、傾斜カム２０が上記カムローラー２５に当接し、当該カムローラー２５を押し下げ、連結ピン１６ａを支軸にして左右の平行リンク１６を後方（時計方向）に回転させて、蓋体を斜め下方に引き下げる（図９ｃ）。蓋体１４は前後左右の平行リンク１５，１６で全体が引き下げられ、洗浄槽１２の開口部に当接してこれを閉じ、その下面のパッキンによって洗浄槽１２の開口部を密封する。そして、カムローラー２５が傾斜カムの水平下面で押さえ込まれて閉蓋状態が保持される。
傾斜カム２０によるカムローラーと蓋体１４の下降ストロークは、傾斜カム２０の傾斜カム面２０ａに対するカムローラー２５の上下方向の位置関係等によって左右され、上記パッキンに対する締め付け力は蓋体１４の下降ストロークの大小によって左右される。
【０００６】
他方、洗浄槽１２が引き出されると、カムローラー２５に対する傾斜カム２０による押さえがなくなるので、蓋体１４は開蓋バネ１８によって前方に引っ張られ、平行リンク１５，１６によって前方斜め上方に押し上げられて、洗浄槽が開蓋される。
【０００７】
ところで、洗浄槽の押し込み操作で傾斜カムにより、蓋体を引き下げて閉蓋させるものでは、所要のストロークだけカムローラーが押し下げられるように傾斜カムのカム高さ（傾斜面の高さ）ｈが設定されており、そのカムストロークｓが過大で蓋体に対する締め付け力が過大になると、パッキンを損傷させ、洗浄槽の出し入れ操作の支障になるので、傾斜カムのカム高さｈを必要以上に大きくすることはできない。因みに、パッキンに対する圧縮量は、例えば、ほぼ２ｍｍであって極めて小さく、許容範囲は最大で±約１ｍｍにすぎない。
他方、実際の引き出し式食器洗い機における傾斜カムとカムロ−ラーとの上下方向（高さ方向）の相対的位置関係は、洗浄槽、本体の変形や、傾斜カムの洗浄槽への組み付け誤差等による位置ずれｒを生じ、このために傾斜カムによるカムローラー２５の押し下げストロークｓ１が大幅に変わり、これにより蓋体に対する締め付け力が大幅に変わる（図１０参照）。
【０００８】
そして、洗浄槽の変形や傾斜カムの組み付け誤差等のために蓋体に対する締め付け力が不足するとシール不良になって水の漏洩を生じ、また、締め付け力が過大であるとパッキンが早期に損傷され、その結果、シール不良になって水の漏洩を生じることになる。また、蓋体に対する締め付け力が過大になると、締め付け過ぎのためにパッキンが早期に損傷されることの他に、その分だけ洗浄槽の押し込み動作に対する抵抗が大きくなるという問題もある。
【特許文献１】特許第３４１７３５３号公報
【特許文献２】特許第３７８９７７５号公報
【特許文献３】特許第３５３７７５９号公報
【発明の開示】
【発明が解決しようとする課題】
【０００９】
この発明は、前後左右の平行リンクで蓋体を筐体に昇降自在に支持させてあり、当該蓋体を洗浄槽の傾斜カムとカムローラーによって閉蓋させる引き出し式食器洗い機を前提とし、蓋体の筐体への組み付け誤差、傾斜カムの洗浄槽への組み付け誤差、カムローラーの蓋体への組み付け誤差、洗浄槽の筐体への組み付け誤差などの種々の組み付け誤差（以下これを、「傾斜カム機構等の組み付け誤差」という）に関わらず、蓋体に対する締め付け力が過小または過大になることを防止することを目的とし、カムローラーの押し下げストロークの誤差による蓋体に対する締め付け力の変動（増大、減少）を緩和することによって、蓋体に対して所要の締め付け力が確保され、また、過大な締め付け力がかからないように、傾斜カムとカムローラーとによる傾斜カム機構を工夫することをその課題とするものである。
【課題を解決するための手段】
【００１０】
上記課題を解決するための手段は、前後左右の平行リンクで蓋体を筐体に昇降自在に支持しており、洗浄槽の傾斜カムと蓋体のカムローラーにより、開蓋バネに抗して上記蓋体を引き下げて閉蓋する引き出し式食器洗い機を前提として、次の（イ）〜（ニ）によるものである。
（イ）上記平行リンクの中間部に縦方向長穴があり、
（ロ）上記縦方向長穴にカムローラーの軸が上下動自在に支持されてあり、上記カムローラーの軸と蓋体とをカム用引っ張りバネで連結して、カムローラーを上方に付勢してあり、
（ハ）傾斜カムによるカムローラーに対する押さえ力で、カムローラーが押し下げられ、上記カム用引っ張りバネを介して蓋体が引き下げられるように構成されており、
（ニ）上記カム用引っ張りバネが、所要の強さで蓋体を引き下げるバネ力を有するものであること。
【００１１】
〔作用〕
カムローラーが上記縦方向長穴によって平行リンクに対して所定範囲で上下動自在に支持されており、かつ、カムローラーの軸と蓋体がカム用引っ張りバネで連結されていて、上方に付勢されている。そして、自由状態ではカムローラーは上記カム用引っ張りバネで、縦方向長穴の上端位置に引き上げられている。傾斜カムでカムローラーが上記の自由状態から所定ストロークだけ押し下げられると、上記カム用引っ張りバネが伸張され、この引っ張りバネを介して蓋体が引き下げられる。このときの蓋体に対する引き下げ力が蓋体に対する所要の締め付け力になるように、上記カム用引っ張りバネのバネ力（又はバネ荷重）が設定されている。
【００１２】
そして、傾斜カムは十分なカム高さを有するので、傾斜カム機構等の組み付け誤差のために傾斜カムによるカムローラーの押し下げストロークｓ１（図１０参照）が設計値より小さくなっていても、最小限必要なカムの押し下げストロークは確保される。したがって、上記カム用引っ張りバネが所要のバネ力を生じ（そのようにバネ特性を設定できる）、所要の締め付け力で蓋体が締め付けられ、したがって、締め付け力不足のためにシール不良による水の漏洩を生じることはない。
他方、傾斜カム機構等の組み付け誤差のためにカムローラーの押し下げストロークが設計値より大きくても、カム用引っ張りバネのバネ力（バネ荷重。以下同じ）はあまり過大にはならない（そのようにカム用引っ張りバネのバネ特性を設定することは容易にできる）ので、蓋体が過大な力で締め付けられることはない。
【００１３】
なお、カム用引っ張りバネを密着コイルバネにして予荷重をかけておくと、小さい延びで大きなバネ力を発揮させることができ、また、バネ係数を小さくすることで、傾斜カム機構等の組み付け誤差によるカムローラーの押し下げストロークの増大による蓋体に対する締め付け力の増大部が小さくなるようにし、上記蓋体に対する締め付け力を安定させることができる。
【００１４】
傾斜カムがカムローラーに当接すると、カムローラーは押し下げられ、上記カム用引っ張りバネを介して蓋体が引き下げられる。このとき、開蓋バネによる抵抗は上記カム用引っ張りバネによる予荷重よりも相当小さいので、蓋体は開蓋バネに抗して容易に引き下げられる。そして、パッキンｐ（図１参照）は洗浄槽に当接した後に圧縮されるので、蓋体の引き下げ抵抗が増大する。そして、蓋体に対する引き下げ抵抗が上記カム用引っ張りバネの予荷重を超えると、カム用引っ張りバネを伸長させながらカムローラーが引き下げられるようになる。このカムローラーが押し下げられることにより上記カム用引っ張りバネが伸長することでそのバネ荷重（バネ力）が増大して、蓋体に対する締め付け力が増大する。そして、カム用引っ張りバネの強さを適切に選択することにより、その伸びの増大によるバネ力の増分が適切な範囲に抑制される。
【００１５】
以上のように、必要最低限の蓋体に対する締め付け力が上記カム用引っ張りバネの予荷重で確保され、また、その上限は上記バネの強さを適切に選択することで適切に抑制されるので、傾斜カム機構等の組み付け誤差に関わらず、蓋体に対する締め付け力が不足することはなく、確実に所要の締め付け力で締め付けられ、また、過大にならないように制限される。
【００１６】
上記の平行リンクの中間部はその長手方向におけるほぼ中間部のことであり、また、「縦方向長穴」は、閉蓋状態においてほぼ上下方向の長穴を意味し、これはカムローラーをカム用引っ張りバネに抗して上下方向にスムーズに案内させる長穴であるから、幾分傾斜しているものでも問題はない。
さらに、平行リンクがＬ形であれば、その角部に縦方向長穴を形成できるので、構造上好都合である。したがって、平行リンクとしてはＬ形のものが好ましい。
【発明の効果】
【００１７】
洗浄槽がレールを介して筐体に出し入れ自在に支持され、下面にパッキンを備えた蓋体が前後左右の平行リンクで昇降自在に筐体に支持されており、洗浄槽の押し込み操作で、傾斜カムとカムローラーとによって開蓋バネに抗して蓋体を下降させて閉蓋するようになっている引き出し式食器洗い機について、そのカムローラーをカム用引っ張りバネを介して蓋体に連結したことで、傾斜カム機構等の組み付け誤差により蓋体に対する締め付け力が不足することを防止でき、また、過大になることも防止できる。
すなわち、傾斜カムとカムローラーによる蓋体に対する締め付け力がカム用引っ張りバネの予荷重によってほぼ規定され、そのカムストロークの増減による上記締め付け力の増減は小さいので、傾斜カムのカム高さを十分に高くしておくことができる。したがって、傾斜カム機構等の組み付け誤差のために上記カムストロークが小さくなっても、蓋体に対する締め付け力が不足してシール不良を生じることはない。また逆に、上記カムストロークが大きくなっても、締め付け力が過大になってパッキンが損傷されることはない。
【発明を実施するための最良の形態】
【００１８】
次いで、図面（図１〜図７）を参照して実施例を説明する。
食器洗い機の全体構成は従来技術（図８）と違いはない。
この実施例では蓋体１４を支持している平行リンク１５，１６はＬ形リンクであり、その一端（下端）を連結ピン１６ａで筐体１０の側壁に連結され、他端（上端）が連結ピン１６ｂで蓋体１４のブラケット１４ｂに連結されている。
平行リンク１６の角部に縦方向長穴３５が設けられており、この縦方向長穴３５にカムローラー２５の軸（以下これを「ローラー軸」という）３０が嵌められており、縦方向長穴３５によって上下動自在に保持されている。
【００１９】
そして、ローラー軸３０が平行リンク１６の外方に突出し、また、上記連結ピン１６ｂが上記平行リンク１６の外側に突出しており、ローラー軸３０の突出部と連結ピン１６ｂの突出部とにカム用引っ張りバネ４０の下端、上端がそれぞれ係止されていて、これによってカムローラー２５は上方に引っ張られている。カム用引っ張りバネ４０は密着コイルバネであって、初期張力が０．７ｋｇｆ、バネ係数が約０．０７５ｋｇｆ／ｍｍであり、１ｋｇｆの予荷重がかけられている（図７参照）。洗浄槽が引き出されて開蓋されている状態（図３の状態）では、ローラー軸３０は上記の予荷重で上げられて縦方向長穴３５の上端に当接している。
【００２０】
傾斜カム２０のカム面２０ａのカム高さｈ（図１０参照）は、傾斜カム機構等の組み付け誤差によるカムローラーの押し下げストロークｓ１（図１０参照）の減少を見込んで、１１ｍｍに設定されている（この例では閉蓋操作のために必要なカム高さよりも２ｍｍ高い）。
洗浄槽１２が筐体１０に押し込まれ、傾斜カム２０のカム面２０ａがカムローラー２５に当接する（図４）と、カムローラー２５が下方に押され、平行リンク１５，１６が連結ピン１６ａを支軸にして後方（時計方向）に回転させ、開蓋バネ１８に抗して蓋体１４を引き下げる（図５）。そして、蓋体下面のパッキンｐが洗浄槽１２の開口縁に当接すると、パッキンｐが圧縮される（この例では最大でほぼ２ｍｍ圧縮されることを予定している）ので、平行リンク１５，１６による蓋体の引き下げに対する抵抗が大きくなり、この抵抗がカム用引っ張りバネの予荷重を超えるようになる。上記抵抗がカム用引っ張りバネの予荷重を超えるまでは、カム用引っ張りバネ４０が伸張することはなく、したがって、ローラー軸３０が上記縦方向長穴３５の上端に当接したままで、カムローラー２５と平行リンク１５，１６とが一体となって下降する。
【００２１】
蓋体１４の引き下げに対する抵抗がカム用引っ張りバネの予荷重を超えると、カム用引っ張りバネが徐々に伸張し、ローラー軸３０が縦方向長穴３５の上端から離れて下方に移動する。この状態で、蓋体に対する締め付け力はカム用引っ張りバネのバネ力に等しい。そして、上記カム用引っ張りバネの予荷重は１ｋｇｆで、バネ係数は約０．０７５ｋｇｆ／ｍｍであるので、もし、ローラー軸３０が縦方向長穴３５に沿って仮に３ｍｍ下方に移動すれば、そのときのカム用引っ張りバネのバネ力は約１．２２５ｋｇｆになる。
そして、洗浄槽が押し込まれたとき、最終的に、傾斜カムの水平下面でカムローラー２５が押さえ込まれて、蓋体１４は閉蓋位置に保持される（図６）。
【００２２】
この実施例では、傾斜カム機構等の組み付け誤差等のために、上記カム用引っ張りバネの伸びが小さくて最大２ｍｍ伸長したときのカム用引っ張りバネのバネ力と、伸びが大きくて最大４ｍｍ伸長したときのバネ力との差は０．１５ｋｇｆであり、この間の蓋体に対する締め付け力の差は、上記予荷重１ｋｇｆ又は最終バネ力（最終バネ荷重）１．６ｋｇｆに対して比較的に小さい。
洗浄槽が引き出されると、図６の状態から、図５の状態、図４の状態を経て図３の状態（開蓋状態）になる。
【図面の簡単な説明】
【００２３】
【図１】は、実施例の要部側面
【図１−１】は、図１の側面図
【図２】は、図６におけるＡ−Ａ断面図
【図３】は、洗浄槽の押し込み動作の説明図
【図４】は、洗浄槽の押し込み動作の他の説明図
【図５】は、洗浄槽の押し込み動作のさらに他の説明図
【図６】は、洗浄槽の閉蓋状態を示す説明図
【図７】は、カム用引っ張りバネの特性を示す説明図
【図８】は、従来技術の断面図
【図９】は、従来例の閉蓋動作の説明図
【図１０】は、従来技術の問題点の説明用参考図
【符号の説明】
【００２４】
１０：筐体
１２：洗浄槽
１４：蓋体
１４ｂ：ブラケット
１５，１６：平行リンク
１６ａ，１６ｂ：連結ピン
２０：傾斜カム
２０ａ：傾斜カム面
２５：カムローラー
３０：ローラー軸
３５：縦方向長穴
４０：カム用引っ張りバネ
ｈ：カム高さ
ｓ：カムストローク
ｓ１：カムローラーの押し下げストローク
ｒ：組み付け誤差による位置ずれ
【図１】
2008295620.tif 000003
【図１−１】
2008295620.tif 000004
【図２】
2008295620.tif 000005
【図３】
2008295620.tif 000006
【図４】
2008295620.tif 000007
【図５】
2008295620.tif 000008
【図６】
2008295620.tif 000009
【図７】
2008295620.tif 000010
【図８】
2008295620.tif 000011
【図９】
2008295620.tif 000012
【図１０】
2008295620.tif 000013